Podtech/llm-jp-corpus-v4-ja_patent huggingface dataset:
(57)【要約】      （修正有）【課題】ダンボールはその素材特性により紙粉等が多く発生し、印刷トラブルの最大原因になっている。対策の一方法として紙粉吸着シートが使用されているが吸着可能な時間が短く、折角吸着した紙粉が剥がれ落ちる等の課題がある。紙粉の吸着量を増加し、さらに紙粉の剥がれ落ちによるトラブルを解消できる紙粉吸着シートを提供する。【解決手段】この課題を解決する為、紙粉等Ｆ吸着除去シートの吸着層の粘毛部Ｃに吸着した紙粉等が剥がれ落ちないように、かえしやキノコ状の笠を施す事で、より長時間、より多く、より確実に紙粉等のキャッチを可能にし、紙粉等による印刷トラブルを激減させるものである。【選択図】図３
2014037314.tif 000002
【特許請求の範囲】
【請求項１】
印刷作業に於ける紙粉等の吸着除去に使用する粘着シートの粘毛部分にホースの抜け防止に使用されている竹の子状環状凸部のかえしを施し掴んだ紙粉が剥がれ落ちぬように工夫した事を特徴とする紙粉吸着シート。
【請求項２】
印刷作業に於ける紙粉等の吸着除去に使用する粘着シートの粘毛先端部分にキノコ型の笠を施し掴んだ紙粉が剥がれ落ちぬように工夫した事を特徴とする紙粉吸着シート。
【発明の詳細な説明】
【技術分野】
【０００１】  本発明はダンボール等の印刷に関するものであり、紙粉や紙片及び切り屑（以下、紙粉等と言う）の吸着除去シートを工夫する事により、印刷物から大量かつ長時間連続して紙粉等の除去を可能にするもの。
【背景技術】
【０００２】  従来から、ダンボールはその素材特性から、紙粉等が多く発生し印刷不良の最大原因になっている。
対策の一方法として粘着除去シートを印刷機の版胴に装着して回転による印刷物との接触で紙粉等の吸着除去を図っている。（図１、図４参照）
【発明の開示】
【発明が解決しようとする課題】
【０００３】  本発明は、吸着除去シートの粘着部の形状に関するものである。
近年に於いて、我が国ではダンボール紙の素材はリサイクルシステムにより９５％以上の再生紙で作られている。
この事から、ダンボール紙は接着剤等多くの添加材が加えられており、裁断の際に発生する切り屑の形状も紙粉や紙片以外に微粒状の物質が多く混在している。
従って従来の紙粉等吸着除去シートでは、瞬く間に除去シート全面に紙粉等が付着し、そのまま印刷作業を続行した場合、折角付着した紙粉が剥がれ落ち新たな印刷トラブルになっており、作業現場に於いては絶え間無く粘着力のチェックと粘着シートの清掃や取り換えをしなければならぬ非効率的な課題が現存している。
【課題を解決するための手段】
【０００４】  この課題を解決する為、請求項１の発明は吸着シートの粘着部となる粘毛部分にホースの抜け防止で使用されている竹の子状環状凸部のかえしを施し吸着した紙粉が剥がれ落ち難いように工夫した。（図２参照）【０００５】  また、請求項２の発明は吸着シートの粘着部となる粘毛先端部にキノコ型の笠を施し吸着した紙粉が剥がれ落ち難いように工夫した。（図３参照）
【発明の効果】
【０００６】  本発明により紙粉等の吸着量は大幅に増加し、機能の長時間持続が可能となる、更に一旦吸着した紙粉等は確実に捉え続けられ紙粉の剥がれ落ちによるトラブルの解消となる。
これらの効果により作業の効率性向上、印刷精度の向上、コストの削減、不良品の減少による資源の有効利用等、印刷業務に於ける革命的な改善に寄与できるものである。
【発明を実施するための最良の形態】
【０００７】  図２は、吸着シート粘着層の粘毛部にホースの抜け防止で使われているかえしを施し、吸着した紙粉等が剥がれ落ち難い形状にした。
粘毛部の長さやピッチは除去したい紙粉等の形状に合わせ、材料は弾性を備えたナイロンが加工性や耐久性から望ましく自己粘着性を有する素材又は、粘着剤を塗布して使用する。【０００８】  図３は、吸着シート粘着層の粘毛先端部にキノコ型の笠を施し、吸着した紙粉等が剥がれ落ち難い形状にした。
材料等は、前記と同じである。
【産業上の利用可能性】
【０００９】  印刷業界に於いて紙粉問題の対策に困窮しており、一刻も早い解決が切望されている。
本発明に係る吸着除去シートは、初期投資となる成型機や縫製機を備えれば大量な製造が可能であり、吸着シートのクリーニング再生メンテナンスも簡易な作業である事からコスト面、効率面、安全面、環境面等の見地から産業上の利用可能性は極めて大きい。
【図面の簡単な説明】
【００１０】
【図１】（１）  従来の紙粉吸着シートで粘着表面が平滑な形状の全体図と拡大断面図である。（２）  従来の紙粉吸着シートで粘着面が立体型に施された拡大断面図である。
【図２】本発明の紙粉吸着シート吸着層粘毛部にかえしを施した拡大断面図ある。
【図３】（１）  本発明の紙粉吸着シート吸着層粘毛先端部をキノコ型の笠を施した拡大断面図である。（２）  除去シートに紙粉が付着した図である。
【図４】吸着シートが印刷機に装着された斜視図である。
【符号の説明】
【００１１】Ａ．吸着除去シート
Ｂ．粘着層
Ｃ．粘毛部
Ｄ．版胴
Ｅ．印刷物シート
Ｆ．紙粉等
【図１】
2014037314.tif 000003
【図２】
2014037314.tif 000004
【図３】
2014037314.tif 000005
【図４】
2014037314.tif 000006
(57)【要約】【課題】レターケース引き出しから書類を取り出すときに取り出しにくいことがある。  本発明はレターケース引き出しから書類を取り出しやすくするための器具を提供する。【解決手段】回転体の形状は円筒の中心角１５０度の弧の部分と両端に輪転部を残して書類幅を取り除き、輪転部にローレットを設け、側面に側板を設け、側板中心に軸を設け、回転体後縁中央部にローラーを設け、回転体支持板を設け、回転体支持板に軸受けを設けたことを特徴とする器具。【選択図】図２
2014037129.tif 000002
【特許請求の範囲】
【請求項１】
回転体の形状は円筒の中心角１５０度の弧の部分と両端に輪転部を残して書類幅を取り除き、輪転部にローレットを設け、側面に側板を設け、側板中心に軸を設け、回転体後縁中央部にローラーを設け、回転体支持板を設け、回転体支持板に軸受けを設けた器具。
【発明の詳細な説明】
【技術分野】
【０００１】  本発明はレターケースから書類を取り出しやすくする器具に関するものである。
【背景技術】
【０００２】  従来、レターケース引き出しから書類を取り出すときに取り出しにくいことがある。このために引き出しの構造を変えたりしていた（特許文献１参照）
【先行技術文献】
【０００３】
【特許文献１】  特開１０−２６４５６９号公報
【特許文献２】  特開０９−１１８０９２号公報
【特許文献３】  特開０９−０９８８４６号公報
【発明の概要】
【発明が解決しようとする課題の概要】
【０００４】  レターケース引き出しから書類を取り出すときに取り出しにくいことがあり、引き出しの構造を変えて解決しようとしていた。
本発明は、以上の問題点を解決するためになされたものである。
【課題を解決するための手段】
【０００５】  回転体の形状は円筒の中心角１５０度の弧の部分と両端に輪転部を残して書類幅を取り除き、輪転部にローレットを設け、側面に側板を設け、側板中心に軸を設け、回転体後縁中央部にローラーを設け、回転体支持板を設け、回転体支持板に軸受けを設ける。
以上の構成よりなる器具。
【発明の効果】
【０００６】  従来、レターケース引き出しから書類を取り出すときに取り出しにくいことがある。本発明により引き出しの構造を変えずに解消される。
【図面の簡単な説明】
【０００７】
【図１】本発明の使用状態を示す斜視図
【図２】本発明の斜視図
【図３】本発明の作用を示す図
【発明を実施するための形態】
【０００８】  以下、本発明の実施の形態を説明する。
（イ）  回転体（１）の形状は引き出しの深さを直径とし、長さを引き出し幅より短い円筒の中心角１５０度の弧の部分と両端に輪転部（４）を残して書類幅を取り除き、輪転部（４）にローレットを設ける。
（ロ）  回転体（１）側面に側板（２）を設け、側板（２）中心に軸（３）を設ける。
（ハ）  回転体（１）の後縁中央部にローラー（５）を設ける。
（ニ）  回転体支持板（６）を設け、回転体支持板（６）に軸受け（７）を設ける。
本発明は以上のような構造である。
本発明を使用するときは回転体（１）の軸（３）を回転体支持板（６）の軸受け（７）に組み、引き出し手前に置いて書類を入れる。両端の輪転部（４）を手前に回転させると回転体（１）は書類前端を後縁中央部のローラー（５）が作用点になり最下部から持ち上げる。回転を続けると書類は回転体（１）の上に載り、手を離すことができ書類を取り出すことができる。
【符号の説明】
【０００９】  １  回転体、  ２  側板、  ３  軸、  ４  輪転部、  ５  ローラー
６  回転体支持板、  ７  軸受け
【図１】
2014037129.tif 000003
【図２】
2014037129.tif 000004
【図３】
2014037129.tif 000005
(57)【要約】【課題】  従来、文房具は、ペン立てやペン皿に収納される筆記用具を除き、専用の収納用具や机の引き出しに、見えない状態で収納されていたため、必要なものを見つけたり取り出すのに手間がかかり、勉強や執務の能率の低下を来すなどの問題があった。  本発明は、これらの課題を解決する、文房具パノラマ収納用具を提供する。【解決手段】  本発明は、薄い鉄板製の底板、及びそこから垂直に立ち上がる側板から構成され、クリップを有する筆記用具などは側板の上端にクリップを差し掛けて収納し、側板、または底板の一部にはマグネットシートを張り付けて鉄製の文房具を吸着させて収納し、その他の文房具は、各文房具の裏面、または底面に磁石を取り付けて、底板や側板に磁着させて収納するなどにより、文房具を常に目で見え手に取り易い状態で収納して、勉強や執務の能率が向上するように工夫した、文房具のパノラマ収納用具である。【選択図】図３
2014037130.tif 000002
【特許請求の範囲】
【請求項１】
全体が薄い鉄板で構成され、長方形の底板、及びその一つの長辺から長辺の幅で垂直に立ち上がる、長方形の側板から構成されるフラット型の文房具パノラマ収納用具。
【請求項２】
全体が薄い鉄板で構成され、長方形の底板、及びその隣接する二つの辺からそれぞれの幅で垂直に立ち上がる、同じ高さの長方形の側板から構成される、コーナー型の文房具パノラマ収納用具。
【発明の詳細な説明】
【技術分野】
【０００１】  本発明は、勉強や執務などで使用する頻度の高い文房具を収納する、文房具パノラマ収納用具に関するものである。
【背景技術】
【０００２】  従来、文房具は、ペン立てなどの筒型の容器やペン皿などに収納されている筆記用具を除き、その多くは専用の収納用具や机の引き出しなどに、見えない状態で収納されることが多かった。
【先行技術文献】
【特許文献】
【０００３】
【特許文献１】特開２００２−１９２８８７号公報
【特許文献２】特開２００８−１４９６９３号公報
【特許文献３】特開２００８−１４９６９３号公報
【発明の概要】
【発明が解決しようとする課題】
【０００４】  勉強や執務などで使用する文房具の種類は大変多いが、ペン立てなどの筒型の容器やペン皿などに収納されている筆記用具を除き、その多くは専用の収納用具や机の引き出しなどに、見えない状態で収納されるため、必要なものを見つけたり、取り出すのに手間がかかっていた。また、収納場所から取り出した後、机の上に平置きされるものもあって、机の上が乱雑になり、勉強や執務の能率の低下を来たしているなどの問題があった。
本発明は、以上の問題を解決するものである。
【問題を解決するための手段】
【０００５】  全体が薄い鉄板で構成され、長方形の底板、及びその一つの長辺から、長辺の幅で垂直に立ち上がる長方形の側板から構成される文房具パノラマ収納用具（以下では、「フラット型の文房具パノラマ収納用具」と云う。）、並びに長方形の底板、及びその隣接する二つの辺から、それぞれの辺の幅で垂直に立ち上がる、同じ高さの長方形の側板から構成される文房具パノラマ収納用具（以下では、「コーナー型の文房具パノラマ収納用具」と云う。）。
以上のように構成した文房具パノラマ収納用具である。
【発明の効果】
【０００６】  本発明を、文房具の収納用具として用いることにより、勉強や執務などで使う文房具が、常に見える状態で収納されるため、必要な文房具を見つけ易く、また、該収納用具を手近なところに置くことによって、必要な文房具が手に取り易くなるため、勉強や執務の能率が向上する。
また、使用後の収納がし易いため、机上に平置きされる文房具が少なくなり、机上の整理が進み、机の上を広く使用することができるようになる。
【図面の簡単な説明】
【０００７】
【図１】  フラット型の文房具パノラマ収納用具の斜視図
【図２】  フラット型の文房具パノラマ収納用具のＡ−Ａ断面図
【図３】  コーナー型の文房具パノラマ収納用具の斜視図
【図４】  コーナー型の文房具パノラマ収納用具のＢ−Ｂ断面図
【発明を実施するための形態】
【０００８】  以下、本発明の実施の形態を説明する。
図１、２は、フラット型の文房具パノラマ収納用具の実施例を示し、図３、４は、コーナー型の文房具パノラマ収納用具の実施例を示す。
【０００９】  フラット型の文房具パノラマ収納用具を説明する。
全体が薄い鉄板から構成され、長方形の底板（１）、及びその一つの長辺から、長辺の幅で垂直に立ち上がる長方形の側板（２）から構成される構造である。
本発明を使用するときは、クリップを持つ筆記用具などは、側板（２）の上端にクリップを差し掛けて収納し、また、側板（２）、または底板（１）の一部に、片面多極着磁のマグネットシートを着磁面が表になるように張り付けて、鉄製の文房具を吸着させて収納し、その他の文房具は、各文房具の裏面、または底面に磁石、またはマグネットシートを取り付けて、底板（１）、または側板（２）に磁着させて収納する。
【００１０】  コーナー型の文房具パノラマ収納用具を説明する。
全体が薄い鉄板から構成され、長方形の底板（１）、及びその隣接する二つの辺からそれぞれの辺の幅で垂直に立ち上がる、同じ高さの長方形の側板（２）から構成される構造である。
本発明を使用するときは、フラット型と同様、クリップを持つ筆記用具などは、側板（２）の上端にクリップを差し掛けて収納し、また、側板（２）、または底板（１）の一部に、片面多極着磁のマグネットシートを着磁面が表になるように張り付けて、鉄製の文房具を吸着させて収納し、その他の文房具は、各文房具の裏面、または底面に磁石、またはマグネットシートを取り付けて、底板（１）、または側板（２）に磁着させて収納する。
【符号の説明】
【００１１】    １  底板
２  側板
【図１】
2014037130.tif 000003
【図２】
2014037130.tif 000004
【図３】
2014037130.tif 000005
【図４】
2014037130.tif 000006
(57)【要約】【課題】  圧縮すべき蒸気の圧力が、大気圧程度もしくは大気圧以下の低圧の蒸気であっても、効率良く圧縮して昇圧することのできる低圧蒸気の昇圧装置を得ること。【解決手段】  スクリュー式蒸気圧縮機２と、スクリュー式蒸気圧縮機２の吐出流路３を接続した高圧蒸気管４と、高圧蒸気管４を分岐した吸込流路５と、吸込流路５に接続した蒸気エゼクタ６、及び、蒸気エゼクタ６の吸込室７に接続した低圧蒸気源９とで低圧蒸気の昇圧装置１を構成する。  大気圧程度もしくは大気圧以下の低圧蒸気を、蒸気エゼクタ６で吸引して昇圧した後で、スクリュー式蒸気圧縮機２へ供給することによって、スクリュー式蒸気圧縮機２で効率良く圧縮して昇圧することができる。【選択図】  図１
2014074355.tif 000002
【特許請求の範囲】
【請求項１】
スクリュー式蒸気圧縮機のハウジングに形成したロータ室に雌雄一対のスクリューロータを収容し、ロータ室に圧縮昇圧すべき蒸気を供給する吸込流路と、スクリューロータによってロータ室内で圧縮昇圧された蒸気を吐出する吐出流路を設けて、吸込流路から供給された蒸気を、スクリューロータによって圧縮昇圧するものにおいて、スクリュー式蒸気圧縮機の吸込流路に蒸気エゼクタを接続したことを特徴とする低圧蒸気の昇圧装置。
【発明の詳細な説明】
【技術分野】
【０００１】
本発明は、大気圧程度の圧力の低圧蒸気、もしくは、大気圧以下の圧力の低圧蒸気を、効率良く昇圧することのできる低圧蒸気の昇圧装置に関する。
【背景技術】
【０００２】
低圧蒸気の昇圧装置としては、スクリュー式蒸気圧縮機が用いられていた。このスクリュー式蒸気圧縮機は、ハウジングに形成したロータ室に雌雄一対のスクリューロータを収容し、ロータ室に圧縮昇圧すべき蒸気を供給する吸込流路と、スクリューロータによってロータ室内で圧縮昇圧された蒸気を吐出する吐出流路を設けて、吸込流路から供給された蒸気を、スクリューロータによって、例えば０．５ＭＰａ程度に圧縮昇圧して、吐出流路から外部へ吐出することができるものである。
【０００３】
この低圧蒸気の昇圧装置においては、ロータ室内へ吸込流路から供給される圧縮昇圧すべき蒸気の圧力が、大気圧程度の低圧である場合、もしくは、大気圧以下の低圧である場合に、効率良く圧縮して昇圧することができにくくなってしまう問題があった。
【先行技術文献】
【特許文献】
【０００４】
【特許文献１】特開２０１２−１３０１６号公報
【発明の概要】
【発明が解決しようとする課題】
【０００５】
解決しようとする課題は、圧縮すべき蒸気の圧力が、大気圧程度もしくは大気圧以下の低圧の蒸気であっても、効率良く圧縮して昇圧することのできる低圧蒸気の昇圧装置を提供することである。
【課題を解決するための手段】
【０００６】
本発明は、スクリュー式蒸気圧縮機のハウジングに形成したロータ室に雌雄一対のスクリューロータを収容し、ロータ室に圧縮昇圧すべき蒸気を供給する吸込流路と、スクリューロータによってロータ室内で圧縮昇圧された蒸気を吐出する吐出流路を設けて、吸込流路から供給された蒸気を、スクリューロータによって圧縮昇圧するものにおいて、スクリュー式蒸気圧縮機の吸込流路に蒸気エゼクタを接続したものである。
【発明の効果】
【０００７】
本発明の低圧蒸気の昇圧装置は、スクリュー式蒸気圧縮機の吸込流路に蒸気エゼクタを接続したことによって、圧縮すべき蒸気の圧力が、大気圧程度もしくは大気圧以下の低圧の蒸気であっても吸込力の強い蒸気エゼクタで確実に吸引して大気圧以上の所定の高圧まで一旦昇圧した後に、スクリュー式蒸気圧縮機へ供給することによって、スクリュー式蒸気圧縮機の吸込流路から供給される蒸気圧力は、大気圧以上の所定の高圧であるために、スクリュー式蒸気圧縮機で効率良く圧縮して昇圧することができる。
【図面の簡単な説明】
【０００８】
【図１】本発明の低圧蒸気の昇圧装置の実施例を示す構成図。
【発明を実施するための最良の形態】
【０００９】
本発明は、スクリュー式蒸気圧縮機の吸込流路に蒸気エゼクタを接続するものであるが、蒸気エゼクタは吸引する蒸気の圧力状態や量の多少に応じて１台のみならず複数台を直列にあるいは並列に配置して用いることができる。
【実施例１】
【００１０】
図１において、低圧蒸気の昇圧装置１を、スクリュー式蒸気圧縮機２と、スクリュー式蒸気圧縮機２の吐出流路３を接続した高圧蒸気管４と、高圧蒸気管４を分岐した吸込流路５と、吸込流路５に接続した蒸気エゼクタ６とで構成する。
【００１１】
スクリュー式蒸気圧縮機２は、図示はしないが内部にロータ室と雌雄一対のスクリューロータを内蔵して、吸込流路５から供給される大気圧以上の所定の圧力、例えば、０．０５ＭＰａの蒸気を、高圧の蒸気、例えば、０．８ＭＰａ以上の蒸気へ圧縮して昇圧し、吐出流路３から高圧蒸気管４へ供給するものである。
【００１２】
吸込流路５に接続した蒸気エゼクタ６の吸込室７内の図示しないノズルと、高圧蒸気管４側の吸込流路５を接続し、蒸気エゼクタ６のディフューザ８と、スクリュー式蒸気圧縮機２側の吸込流路５を接続すると共に、蒸気エゼクタ６の吸込室６を低圧蒸気源９と接続する。低圧蒸気源９は、大気開放状態のタンクであったり、あるいは、図示しない真空ポンプと接続したタンクであって、内部に低圧、すなわち、大気圧程度もしくは大気圧以下の蒸気を保有するものである。
【００１３】
高圧蒸気管４を分岐した吸込流路５から高圧の蒸気、例えば、０．８ＭＰａの蒸気が蒸気エゼクタ６へ供給されると、吸込室７で吸引力を発生して低圧蒸気源９から低圧の蒸気、例えば、０ＭＰａの蒸気を吸引して、ディフューザ８から０．０５ＭＰａの蒸気となって、スクリュー式蒸気圧縮機２へ供給される。
【００１４】
スクリュー式蒸気圧縮機２へ供給された０．０５ＭＰａの蒸気は、０．８ＭＰａ以上の圧力まで圧縮昇圧されて、高圧蒸気管４へ供給される。
【産業上の利用可能性】
【００１５】
本発明は、大気圧程度の圧力の低圧蒸気、もしくは、大気圧以下の圧力の低圧蒸気を、効率良く昇圧することのできる低圧蒸気の昇圧装置として利用することができる。
【符号の説明】
【００１６】
１  低圧蒸気の昇圧装置
２  スクリュー式蒸気圧縮機
３  吐出流路
４  高圧蒸気管
５  吸込流路
６  蒸気エゼクタ
９  低圧蒸気源
【図１】
2014074355.tif 000003
(57)【要約】【課題】  エゼクタから循環ポンプへ供給される復水の圧力を十分に上昇させることによって、バリバリと言う激しい振動と騒音を発生するキャビテーション現象を防止することのできる復水回収装置を提供すること。【解決手段】  エゼクタ１と循環ポンプ２と循環路３とで復水回収ポンプ４を構成する。循環路３を分岐して分岐管１０を取り付け、第二のエゼクタ６の吸込室１１に内蔵した図示しないノズルと接続する。第二のエゼクタ６の吸込室１１に、蒸気使用装置で発生した復水を排出する復水排出管１２を接続する。  第二のエゼクタ６の吸引に続いて直列状のエゼクタ１でも吸引することによって、エゼクタ１での加圧能力を上げることができ、バリバリと言う激しい振動と騒音を発生するキャビテーション現象を確実に防止することができる。【選択図】  図１
2014074530.tif 000002
【特許請求の範囲】
【請求項１】
蒸気使用機器で蒸気が凝縮して発生した復水を、復水回収管からエゼクタと循環ポンプと循環路とで構成する復水回収ポンプによって所定の復水回収先へ回収するものにおいて、エゼクタの吸込口に第二のエゼクタを接続し、当該エゼクタと第二のエゼクタを直列状に配置したことを特徴とする復水回収装置。
【発明の詳細な説明】
【技術分野】
【０００１】
本発明は、蒸気使用機器で発生した蒸気の凝縮水としての復水を、蒸気ボイラや給水タンク等の所定の復水回収先へ回収する復水回収装置に関する。
【背景技術】
【０００２】
従来の復水回収装置は、蒸気使用機器の復水出口側を蒸気トラップと復水と復水回収ポンプに接続し、この復水回収ポンプをエゼクタと循環ポンプと循環路で構成したものであり、高温度の復水を蒸気ボイラ等の復水回収先へ確実に回収することができる。
【０００３】
この復水回収装置においては、エゼクタから循環ポンプへ供給される復水の圧力が十分に上昇せず、エゼクタの出口から循環ポンプの入口の間でバリバリと言う激しい振動と騒音を発生する所謂キャビテーション現象を発生してしまう問題があった。
【先行技術文献】
【特許文献】
【０００４】
【特許文献１】特開２００７−２４７９７３号公報
【発明の概要】
【発明が解決しようとする課題】
【０００５】
解決しようとする課題は、エゼクタから循環ポンプへ供給される復水の圧力を十分に上昇させることによって、バリバリと言う激しい振動と騒音を発生するキャビテーション現象を防止することのできる復水回収装置を提供すること。
【課題を解決するための手段】
【０００６】
本発明は、蒸気使用機器で蒸気が凝縮して発生した復水を、復水回収管からエゼクタと循環ポンプと循環路とで構成する復水回収ポンプによって所定の復水回収先へ回収するものにおいて、エゼクタの吸込口に第二のエゼクタを接続し、当該エゼクタと第二のエゼクタを直列状に配置したものである。
【発明の効果】
【０００７】
本発明の復水回収装置は、エゼクタと第二のエゼクタを直列状に配置したことによって、エゼクタでの加圧能力を上げることができ、エゼクタから循環ポンプへ供給される復水の圧力を十分に上昇させることで、バリバリと言う激しい振動と騒音を発生するキャビテーション現象を防止することができる。
【図面の簡単な説明】
【０００８】
【図１】本発明の復水回収装置の実施例を示す構成図。
【発明を実施するための最良の形態】
【０００９】
本発明の復水回収装置は、エゼクタと第二のエゼクタを直列状に配置するものであるが、それぞれのエゼクタの入口側を、循環ポンプの出口側の循環路を分岐して接続すると共に、エゼクタの吸込室に第二のエゼクタの出口側を接続することが好適である。
【実施例１】
【００１０】
図１は本実施例の構成図であって、エゼクタ１と循環ポンプ２と循環路３とで復水回収ポンプ４を構成すると共に、エゼクタ１の吸込口５に第二のエゼクタ６の出口側であるディフューザ７を接続して復水回収装置を構成する。
【００１１】
復水回収ポンプ４の循環路３を分岐して復水回収管８を接続して、図示しない蒸気ボイラ等の復水回収先と連通する。復水回収管８には圧力制御弁９を取り付ける。
【００１２】
循環ポンプ２の出口側の循環路３を更に分岐して分岐管１０を取り付けて、第二のエゼクタ６の吸込室１１に内蔵した図示しないノズルと接続する。第二のエゼクタ６の吸込室１１に、蒸気使用装置で発生した復水を排出する復水排出管１２を接続する。復水排出管１２を流下してきた復水が、第二のエゼクタ６の吸込室１１へ吸引されるものである。
【００１３】
第二のエゼクタ６の出口側に復水吐出菅１３を取り付けてエゼクタ１の吸込口５と直列状に接続する。復水吐出菅１３に逆止弁１４を取り付ける。逆止弁１４は、第二のエゼクタ６からエゼクタ１への復水の流下だけを許容して、反対方向の復水の流れを阻止することができるものである。
【００１４】
循環ポンプ２駆動して、復水排出管１２を流下してきた復水を循環路３内に循環させると共に、一部の復水を分岐管１０から第二のエゼクタ６へ供給する。復水排出管１２を流下してきた復水が第二のエゼクタ６の吸込室１１へ吸引され、更に、復水吐出菅１３からエゼクタ１の吸込口５へと吸引される。
【００１５】
このように第二のエゼクタ６の吸引に続いて直列状のエゼクタ１でも吸引することによって、エゼクタ１での加圧能力を上げることができ、エゼクタ１から循環ポンプ２へ供給される復水の圧力を十分に上昇させることで、バリバリと言う激しい振動と騒音を発生するキャビテーション現象を確実に防止することができる。
【００１６】
なお、循環路３内を循環する復水の一部は、復水回収管８の圧力制御弁９を通って蒸気ボイラ等の復水回収先へと回収されることによって、復水排出管１２からの復水を連続的に回収することができる。
【産業上の利用可能性】
【００１７】
本発明は、蒸気使用機器で発生した蒸気の凝縮水としての復水を、蒸気ボイラや給水タンク等の所定の復水回収先へ回収する復水回収装置として利用することができる。
【符号の説明】
【００１８】
１  エゼクタ
２  循環ポンプ
３  循環路
４  復水回収ポンプ
５  吸込口
６  第二のエゼクタ
８  復水回収管
９  圧力制御弁
１０  分岐管
１１  吸込室
１２  復水排出管
【図１】
2014074530.tif 000003
(57)【要約】      （修正有）【課題】既存の原型状の原型型取り定規で採寸され、作られた衣服では個人個人の体型への適合性が悪く直しの必要が発生することがあり、より精度の良い採寸用の改善された原型型取り定規の提供。【解決手段】硬質透明なプラスティック板等を用いた原型状の型取り定規がある。後身用１、前脇身用３、前身用２の３部構成で、前脇用に前身用を重ね、ダーツ目盛１０を合わせて外形をなぞる事、及び肩に付された胸郭囲サイズ目盛５を調節する事により、課題を解決する事が出来る。【選択図】図５
2014074248.tif 000002
【特許請求の範囲】
【請求項１】
塩化ビニール、アクリル等の透明版を用いた女子服用原型状の原型型取り定規用の用具。
【請求項２】
後身用、前身用及び前脇身用の３部品構成で、前脇用には指定された一点より、放射状にダーツ度数目盛り線があることにより、胸部側面体型を造型できる仕組み。
【請求項３】
前後定規の肩線上に胸郭サイズの目盛りがあり、採寸値を合わせる事で、各人の体格に合わせる事が出来る仕組み。
【発明の詳細な説明】
【技術分野】
【０００１】
本発明は、成人女子の衣服製作に当たり、最初に必要とされる体格体型別に適合する原型を作成するための定規で、注文制作及び工業大量生産の基本となるものである。
【背景技術】
【０００２】
従来、衣服原型の作成は、国内に数ある特定の専門学校毎に異なる手法で、寸法を基にしつつも、限定的で固定化した体型の作図法に依るか、又は体格、体型に限定された作図定規で型取りする。或いは身体を抽象化したダミーである人台に直接紙や布を宛がい写しとる等である。
【０００３】
規格化されたサイズ、限定的体型を基本に大量生産される既製服では、体型、体格への不満は多い。結果、製品購入時に、各人は体型、体格に合わせるべく直しに出すことになる。
【０００４】
近年、成人女子の体型、体格の多様化が問題とされているが、前述のような不満や問題があるにもかかわらず、体型体格を考慮した型紙製作がなされていなかった。本発明はこの体型、体格に合わせるべく作図する作業を簡易に、スピーディーに、正確に進めるための定規である。
【発明の概要】
【発明が解決しようとする課題】
【０００５】
規格化されたサイズ、限定的体型を基本に大量生産される既製服では、各人への体型、体格へ適合性の不満は多い。結果、製品購入時に、各人は体型、体格に合わせるべくサイズ直しに出すことになる。
【０００６】
本発明は、このような従来の成人女子の衣服に対する不満を解決しようとするものである。衣服製作に当たり、最初に必要とされる体格、体型別に適合する原型を作成するための定規で、これによって各人の体格、体型に適合する原型を元に衣服が製作される。
【課題を解決するための手段】
【０００７】
本発明は、硬質透明な塩化ビニール又はアクリルを用いた原型状の型取式定規である。
【０００８】
定規様式はアパレル業界に普遍的な原型状で、後身用、前脇用、前身用の３部品で構成される。
【０００９】
前脇用は前身用を部分的に重ね合わせ、ダーツ度数目盛を合わせることで胸部体型に適合する原型を作図する。
【００１０】
後身用、前身用には夫々肩線に胸郭囲サイズの目盛があり、指定寸法に合わせることで望むサイズ（体型体格）の原型を得ることが出来る。
【発明の効果】
【００１１】
注文服、大量生産既製服の両面において、体型に合う快適な衣服作りを向上させる。
【００１２】
型紙作成作業の高品質化、容易性を促進させる。
【００１３】
型紙に関する学校教育を、理知的に教授する事が出来る。
【図面の簡単な説明】
【００１４】
【図１】本発明の原型定規後身用
【図２】本発明の原型定規前身用
【図３】本発明の原型定規前脇身用
【図４】本発明の原型定規前身用と前脇身用を重ねた図
【図５】本発明の原型定規後身用、前脇身用、前身用が連結した全体図
【発明を実施するための形態】
【００１５】
本発明は顧客又は顧客群の異なる体格体型に適合する原型を紙面に写し取るための、硬質透明な塩化ビニール又はアクリル製の普遍的原型と認識し得る形状の型取定規である。
【００１６】
定規は３部品構成を一セットとし、脇垂直線で分けられた後身用部品（図１）と前脇身用部品（図３）及び前身用部品（図２）で構成される。
【００１７】
前脇身用は、乳房突出度（ダーツ量）を示す数値と度数を表す放射線状が刻まれ、前身脇端の垂直線（エッジ）と放射線を指示される数値に従い、又後身肩線、前身肩線上に胸郭囲サイズが刻まれ、数値にあわせて乳房突出度を持つ人の体型に適う原型を得ることが出来る。
【実施例１】
【００１８】
本発明は以上の構成からなるので、本発明を使用するときは、前提として、原型を作成すべき身体を採寸する。採寸部位は主にアームホール（腕付け根回り）、ネック（首の付け根回り）チェスト（腋下いっぱいを通る胸郭囲）、バスト（乳房上部を通る胸囲）、背丈（背骨の長さ）、乳頂高（乳頂のウエスト線からの長さ）等を最低限度の採寸部位とする。
【００１９】
原型を作るべき紙を広げ、四方に余白を取りながら後身用定規（１）を置く。一旦、後身用定規（１）の外枠の全てを移す。その時後身用の肩線に刻まれた胸郭囲目盛（４）に指定寸法を見出し、印をつける。後身用定規（１）を肩線に沿って滑らし、ネックポイント（７）をしるしにあわせ、後身、襟刳、背中心線（１１）を引く。後中心線上（１１）に採寸背丈値を印し、後中心に直角に脇方向に直線を引き（１５）延長しておく。
【００２０】
後身の脇線（１２）に袖下位置を合わせて前脇身用（３）を置く。前脇身用（３）には、上部支点（８）から、放射線状に乳房部突出度を表す目盛り線（１２）がある。突出度はダーツ量と呼称し、（バスト数−チェスト数）／２によって得られる。前身用を前脇身用の支点（８）にあわせ、突出度数目盛線上（ダーツ量目盛線上）（１０）のダーツ量数値を合わせて重ね置く。前身の袖刳曲線、肩線及び前中心を写す。前身肩線にも目盛があるが、後身と同様の方法で目盛をあわせる。
【００２１】
前身の袖刳、前中心を写す。その時前中心に平行に引かれた乳房間隔線（１３）をポンチ穴（１３）を起点に直線で結んで写しておく。前身方向に延びているウエスト線、即ち背丈線に直角に引いた直線状を長辺のある直角三角形を滑らせて、乳頭高値と乳房間隔線の交点を求める。前身の乳房間隔線に乳頭高値を印し、前中心線に直角になる様に結ぶ事で採寸した個人のための原型を得ることが出来る。
【符号の説明】
【００２２】
（１）原型定規・後身用、（２）原型定規・前身用、（３）原型定規・前脇身用、（４）後身用胸郭囲目盛、
（５）前身用胸郭囲目盛、（６）前身用ネックポイント、（７）後身用ネックポイント、（８）ダーツ支点、
（９）前身用のエッジ、（１０）ダーツ量目盛、（１１）背中心線、（１２）脇線、（１３）乳房間隔線、
（１４）肩甲骨形状を作るダーツ、（１５）ウエストの水平案内線、（１６）乳頂点
【図１】
2014074248.tif 000003
【図２】
2014074248.tif 000004
【図３】
2014074248.tif 000005
【図４】
2014074248.tif 000006
【図５】
2014074248.tif 000007
(57)【要約】【課題】  本発明は、ブラジャー等の肩紐が肩よりズレ落ちるのを防止するブラジャーの肩紐ズレ防止ループを提供する。【解決手段】  ブラジャーの左右の肩紐に挟み込む接続部分とチェーンとを連結させるための金具と長さの調節が自在にできるチェーンを組み合わせたことを特徴とするブラジャーの肩紐ズレ防止ループ。【選択図】図１
2014074253.tif 000002
【特許請求の範囲】
【請求項１】
ブラジャーの左右の肩紐に挟み込む接続部分とチェーンとを連結させるための金具と長さの調節が自在にできるチェーンを組み合わせたことを特徴とするブラジャーの肩紐ズレ防止ループ。
【発明の詳細な説明】
【技術分野】
【０００１】  本発明は、ブラジャー等の肩紐が肩よりズレ落ちるのを防止するブラジャーの肩紐ズレ防止ループに関するものである。
【背景技術】
【０００２】  従来、肩紐のズレ落ちを防止するため、背面部分で使用するものが知られている。
また、ブラジャーの両肩紐と中央部の胸元位置を固定し外観に露見しにくいものが知られている。（特許文献１参照）。
【先行技術文献】
【０００３】
【特許文献１】  実開平３０９１７８９号公報
【特許文献１】  特開２００３−０８９９１２号公報
【発明の概要】
【発明が解決しようとする課題】
【０００４】  そのために次のような問題点があった。
背面に取り付けるため、着脱及び、長さの調節が不便である。
背面部分の開いた衣服を着用する際には、使用できない。
また、中央部の胸元位置に固定するものは、胸位置に紐があたり違和感を感じる。
本発明は、以上の問題点を解決するためになされたものである。
【課題を解決するための手段】
【０００５】  前方の、左右のブラジャーの肩紐に連結するための、クリップのように挟み込む接続部を設け、左右の肩紐に挟み込む接続部とチェーンとを連結させる金具を設け、その金具に長さの調節ができるチェーンを接続する。
以上を特徴とするブラジャーの肩紐ズレ防止ループである。
【発明の効果】
【０００６】  従来のものと比べ着脱や長さの調節、胸元の位置が容易に調節でき、固定部が２箇所なので、違和感を軽減することができる。
また、チェーンの交換も可能なため、装飾品として、外観が露見しても違和感がなく使用できる。
【図面の簡単な説明】
【０００７】
【図１】  本発明の正面から見た説明図である。
【図２】  本発明の使用状態を示した正面から見た斜視図である。
【図３】  本発明の接続部分を拡大して示した説明図である。
【発明を実施するための形態】
【０００８】  以下、本発明の実施の形態を説明する。
ブラジャーの左右の肩紐に挟み込む接続部分とチェーンとを連結させるための金具と長さの調節が自在にできるチェーンを組み合わせたことを特徴とする。
ピン（１）の内側に突起（６）を設け、ピン（１）の先端にツメ（７）を設け、ピン（１）とカニカン（３）を接続リング（２）によって結合する。
チェーン（４）の両サイドにアジャスターチェーン（５）を結合させ、カ二カン（３）にアジャスターチェーン（５）を連結させる。
ブラジャーの肩紐ズレ防止ループである。
本発明は以上のような構造である。
本発明の使い方を説明すると、左右のブラジャーの肩紐にピン（１）の突起（６）部分を内側にして、表にツメ（７）の部分を引っかけながら接続する。
左右のピン（１）のカニカン（３）にアジャスターチェーン（５）で長さの調節をしながら、チェーン（４）を装着する。
【符号の説明】
【０００９】    １  ピン
２  接続リング
３  カニカン
４  チェーン
５  アジャスターチェーン
６  突起
７  ツメ
【図１】
2014074253.tif 000003
【図２】
2014074253.tif 000004
【図３】
2014074253.tif 000005
(57)【要約】【課題】  赤ちゃんを抱っこする時、抱っこする人の肌と赤ちゃんの頭や首が直接触れ続けると汗でベタベタになってしまう。薄手のおくるみを使用しても熱がこもって暑くなってしまう。またおくるみがずれていってしまうこともあった。本発明は赤ちゃんを涼しく快適に抱っこし続けられるおくるみを提供する。【解決手段】  赤ちゃんを抱っこするのに適した大きさと厚みをもたせた布に複数の穴を開け、ずれるのを防止する為におくるみ本体の裏側に帯をつけ腕を通せるようにしたおくるみ。【選択図】図１
2014074254.tif 000002
【特許請求の範囲】
【請求項１】
おくるみ本体（１）に複数の穴（２）を設け、おくるみ本体（１）の裏側に帯（３）を設けたおくるみ。
【発明の詳細な説明】
【技術分野】
【０００１】  本発明は暑くなりにくく快適に赤ちゃんを抱っこしていられるおくるみに関するものである。
【背景技術】
【０００２】  従来、抱っこ紐等を使用しないで赤ちゃんを抱っこする状況のとき、たとえば、家の中で赤ちゃんをあやしたり、授乳したり、寝かしつけるときなどは、直接、抱っこするかおくるみを使用していた。
機能性をもたせたおくるみには赤ちゃんをなるべく暖かく保てるようになっているものがあった（特許文献１参照）。
また、おくるみとしてだけでなく座布団に簡単に装着でき布団として利用できるものがあった（特許文献２参照）。
【先行技術文献】
【特許文献】
【０００３】
【特許文献１】  特開２００４−３４６４６５号公報
【特許文献２】  特開２００２−２３５２０６号公報
【発明の概要】
【発明が解決しようとする課題】
【０００４】  赤ちゃんをあやしたり、授乳したり、寝かしつけるために抱っこするときは、直接、抱っこするかおくるみを使用していた。
そのため次のような問題点があった。
（イ）抱っこする人の肌と赤ちゃんの頭や首などが直接、触れ続けると汗でベタベタにな    っていた。
（ロ）おくるみを使用すると薄手の物であっても熱がこもって暑くなってしまい不快であ    った。
本発明は以上の問題を解決するものである。
【課題を解決するための手段】
【０００５】  赤ちゃんを抱っこするのに良いサイズの適度な厚みをもたせたおくるみ本体（１）に複数の穴（２）を設ける。
この布の裏側の面に帯（３）を設ける。
以上のように構成されたおくるみである。
【発明の効果】
【０００６】  本発明のおくるみは、
（イ）適度な厚みを持つためお互いの熱が伝わりにくく汗などでベタベタしにくい。
（ロ）複数の穴があいているため、お互いの熱がこもりにくく快適に抱っこし続けること    ができる。
また、抱っこする人の腕を通す帯が設けてあるため、抱っこしている間におくるみがずれていくのを防ぐことができる。
【図面の簡単な説明】
【０００７】
【図１】  本発明の斜視図である。
【図２】  本発明の使用状態を示した斜視図である。
【発明を実施するための形態】
【０００８】  以下、本発明の実施の形態を説明する。
赤ちゃんを抱っこするのに適した大きさと厚みをもたせたおくるみ本体（１）に風通しを良くするために複数の穴（２）を開ける。
この穴（２）は風通しのためであるが、デザインも重視して色々な形にすると良い。
この布の一方の面に長辺と並行に帯（３）をつけ抱っこする人の赤ちゃんの頭側にくる腕を通しておくるみがずれるのを防止する。
本発明は以上のような構造である。
本発明を使用するときは、おくるみに赤ちゃんを寝かせ、赤ちゃんの頭側の帯（３）に抱っこする人の腕を通し、おくるみがずれるのを防止する。
【符号の説明】
【０００９】  １  おくるみ本体
２  穴
３  帯
【図１】
2014074254.tif 000003
【図２】
2014074254.tif 000004
(57)【要約】 【課題】  水路を開閉する制水扉であって、現場で簡単に組み立てることができるものを提供する。【解決手段】  角型の管状梁５を何段かにわたって平面状に連結して成り、各管状梁の両端には、水路２の両側に上下方向に設けられた戸当たり２１に当接するローラ９を設ける。各ローラは角型管状梁の内部に収納し、該管状梁に開けられた小窓１３から該ローラの一部が該戸当たりに向かって突き出るようにする。  【選択図】  図１
2014074287.tif 000002
【特許請求の範囲】
【請求項１】
管状梁を何段か積み上げて平面状に連結して成り、それぞれの管状梁の両端に、水路の両側に上下方向に設けられた戸当たりに当接するローラを設けた昇降式制水扉。
【請求項２】
各管状梁が角型断面である請求項１に記載の昇降式制水扉。
【請求項３】
該ローラが、ゴム等の弾性体で作られている請求項１または２に記載の昇降式制水扉
【請求項４】
各ローラが該管状梁の内部に収納され、該管状梁に開けられた小窓から該ローラの一部が該戸当たりに向かって突き出ている請求項１、２、３または４に記載の昇降式制水扉。
【発明の詳細な説明】
【技術分野】
【０００１】
この発明は、農業用等の水路などを開閉するため昇降式制水扉に関する。
【背景技術】
【０００２】
山間部にある河川に水門を設置する場合、現場に通じる道路が狭くて資材（特に制水扉）の搬入ができないことがある。道路を広げるとなると多額の費用がかかる。
【発明の概要】
【発明が解決しようとする課題】
【０００３】
この発明は、道路事情の悪いところで水門設置工事を行いやすくするため、設置現場で簡単に組み立てることのできる制水扉を得ることを主な目的とする。
【課題を解決するための手段】
【０００４】
この発明の昇降式制水扉は、鋼製の管状梁を何段かにわたって積み上げて平面状に連結して成る。それぞれの管状梁の両端部には、水門の両側に上下方向に設けられた戸当たりに当接するローラを設ける。この制水扉では、水圧は個々の管状梁で分担され、管状梁に作用する水圧は、両端のローラを介して戸当たりに伝達される。したがって、管状梁同士を上下に連結するための縦桁が不要であり、何本かの管状梁を現場に搬入して簡単に組み立てることができる。
【０００５】
制水扉を構成する管状梁は、安定した状態で梁同士を連結できるので、円形より角型断面が好ましい。個々の管状梁には、両端部にローラを設ける。各ローラは梁の内部に収納し、梁に開けられた小窓から該ローラの一部が該戸当たりに向かって突き出るようにする。ローラをあらかじめ管状梁に組み込んでおけば、現場作業が軽減できる。なお、ローラは、梁の内部に収容せずに、管状梁に外付けしてもよい。
【０００６】
なお、この発明は、水門に限らず、トンネルや建物の通行口等に設置して津波を遮断するのに用いることもできる。
【図面の簡単な説明】
【０００７】
【図１】下流側から見た制水扉の斜視図である。
【図２】上流側から見た制水扉の部分斜視図である。
【図３】水門に取り付けられた制水扉の水平断面図である。
【図４】開口に制水扉を取り付けたトンネルの縦断面図である。
【発明を実施するための形態】
【０００８】
図１および図２に示すように、この昇降式制水扉１は、コの字断面の鋼製の基台３の上に、角型断面の管状梁５を水平に何本か積み上げ、ロッド７を上下方向に通して互いに連結する。このような管状梁５の連結作業は、必要に応じ、工場で行ってもよいし、設置現場で行ってもよい。
なお、上下の管状梁５の間隙はシール材で埋めて、水漏れを防止することが好ましい。また、管状梁５は、防錆のため、亜鉛メッキを施しておくことが好ましい。
【０００９】
それぞれの管状梁の両端にはローラ９を取り付けておく。ローラはブラケット１１に回転自在に取り付けられており、これを管端から管状梁の中に挿入して、ボルトで固定する。それぞれの管状梁５の下流面には、あらかじめ小窓１３を穿設しておき、管状梁の中に取り付けたローラ９の一部がこれら小窓から外に突き出るようになっている。なお、ローラ９はゴム等の弾性材で作られている。
図２に示すように、制水扉１の上流面の周縁には帯状のゴムシール１５を取り付ける。符号１７はシールを支えている帯金である。
【００１０】
図３は上記の制水扉１を、水路２に設置された水門に取り付けた状態の水平断面を示す。水路の両岸にはそれぞれ、一対の戸当たり、すなわち上流側戸当たり１９と下流側戸当たり２１が垂直に取り付けてあり、それらの間に、制水扉１が、ローラ９を下流に向けて挿入されている。制水扉１の上流面に水圧がかかっているときは、ローラ９が下流側の戸当たり２１に当接する。他方、制水扉１に取り付けてあるシール１５は、水圧によって、上流側の戸当たり１９に押し付けられ、水が制水扉１の外側を回り込むのを防止する。
【００１１】
図１に示すように、制水扉１の上面の両側にブラケット２３が溶接されており、各ブラケットにワイヤロープ２５が係止されている。これらのワイヤーロープを、水門の上部に設けられたウインチ（図示しない。）で巻き取り、または巻き出すことで、制水扉１は、戸当たり１９、２０に沿って昇降することができる。
【００１２】
制水扉１を下降させて水路２を閉じ、上流側に水を溜めた場合、制水扉の上流面に大きな水圧がかかるが、この水圧は、制水扉１を構成する管状梁５に分担される。負担すべき荷重は、下方の管状梁ほど大きくなる。個々の管状梁は大きな曲げ剛性を有しており、自ら負担する水圧を、両端に備えている自前のローラ９を介して戸当たり２１に伝達することができる。したがって、上下の管状梁５を縦桁のようなもので相互に連結しなくとも、管状梁だけで大きな水圧を支えることができる。
【００１３】
図４は他の実施例を示すものであり、津波の被害が及ばないように海岸沿いに盛り土３１を施し、その上に、自動車専用道３３が作られている。盛り土部分のところどころには、人や車の通れるトンネル３５が設けられている。しかし、このようなトンネルがあると、万一津波が来たとき、トンネルが水路となってを通って津波が街中に流れ込む恐れがある。
そこで、津波対策として、トンネル３５の海側の口に制水扉３７を設ける。制水扉の構造は上述の構造とほとんど同様である。制水扉を案内する戸当たりはトンネルの出入り口の両側に設け、さらに、出入り口の上部に、制水扉を収納できるレセス３９を設ける。制水扉３７は普段、レセス３９に収納しておき、津波警報が出たら、制水扉３７を下ろしてトンネル３５の口を塞いで、津波をブロックする。
【符号の説明】
【００１４】
１  制水扉
２  水路
５  管状梁
９  ローラ
１３  小窓
２１  戸当たり
３５  水路としてのトンネル
３７  制水扉
【図１】
2014074287.tif 000003
【図２】
2014074287.tif 000004
【図３】
2014074287.tif 000005
【図４】
2014074287.tif 000006
(57)【要約】      （修正有）【課題】足場用鉄パイプの継手金具と同じ技術を使った抜けにくいロッドホルダーを提供する。【解決手段】本体部分のギアボックス１と、４枚の挟み板２と、２個の擦動子３、１本のメインシャフト４から成る構造のボンジョイントで、締め付けネジ５を回すとメインシャフトが回転し、擦動子３が中心方向へ向かって移動する事で挟み板２を押し広げ、パイプの内側にガッチリと固定される物である。また、挟み板２に抜落防止溝６を刻む事でパイプとの摩擦が大きくなり抜け落ちにくくなる。またロッドホルダーは、このボンジョイントの片側にロッドホルダー本体を取り付けた物である。【選択図】図１
2014100130.tif 000002
【特許請求の範囲】
【請求項１】
ギアボックスと、４枚の挟み板、２個の擦動子、１本のシャフトを組み合わせた簡単に抜ける事のないボンジョイントである。
【請求項２】
そのボンジョイントを応用したロッドホルダー（釣竿受け）である。
【発明の詳細な説明】
【発明の詳細な説明】
【技術分野】
【０００１】  この発明は、足場用鉄パイプを安全に繋ぐ金具である。
また、同じ原理を利用した釣竿受けである。
【背景技術】
【０００２】  これまでの単管継手金具（ボンジョイント）は、中央のボルトを回して２枚の挟み板（カラー）が開き、内側からパイプを繋ぐタイプの物だった。
また、釣竿受けはクリップオン方式か、ボルトオン方式が有った。
【発明が解決しようとする課題】
【０００３】  従来のボンジョイントには次の様な課題があった。
（イ）真ん中をボルト１本で支えている為、パイプに斜め方向の力が掛かると変形して簡単に抜ける事があった。相対的に継手金具（ボンジョイント）は引っ張り方向の力に弱い。
（ロ）継手金具（ボンジョイント）の真ん中にあるボルトは振動で弛み易く、いつの間にか弛んで突然抜け落ちる事があった。
（ハ）クリップオン方式のロッドホルダーは、船縁の形状によっては取付けられない事があった。
（ニ）クリップオン方式のロッドホルダーは、余程しっかり取付けたつもりでも、クリップボルトが弛み外れる事があり、釣竿ごと海に落としてしまう事もあった。
（ホ）ボルトオン方式のロッドホルダーは、直接船縁にロッドホルダーをボルト止めする物で、船の所有者の許可がない限り取り付けられる物ではなかった。
【課題を解決する為の手段】
【０００４】  以上の課題を解決する為に、極めて弛みにくい型式の挟み板を持つ継手金具（ボンジョイント）を開発する。
また、釣船の船縁には釣竿を立てる為の穴が開けられており、この穴を利用して同じ型式のボンジョイントで船縁にワンタッチで装着可能なロッドホルダーを開発する。
【発明を実施するための形態】
【０００５】  本体部分のギアボックス（１）と、４枚の挟み板（２）、２個の擦動子（３）、１本のメインシャフト（４）から成る構造のボンジョイントで、締め付けネジ（５）を回すとメインシャフトが回転し、擦動子が中心方向へ向かって移動する事で挟み板を押し広げ、パイプの内側にガッチリと固定される物である。また、挟み板に抜落防止溝（６）を刻む事でパイプとの摩擦が大きくなり抜け落ちにくくなる。
【発明の効果】
【０００６】  挟み板の間に擦動子が入っている為こじられても変形に強く、簡単に抜落ちる事はない。また、擦動子が弛まない限りは絶対に弛んで抜落ちる事もない。ロッドホルダーとしても、ガッチリと船縁に固定する事が出来、専用ドライバー１本で簡単に取り付ける事が出来る。
ボンジョイントとしては、従来比８〜２０倍程度の抜けにくさとなる計算である。
【図面の簡単な説明】
【図１】ボンジョイントの概念図である。
【図２】ボンジョイントの技術を応用したロッドホルダーである。
【符号の説明】    （１）本体（ギアボックス）：締め付けネジの回転をメインシャフトに伝える為のギアが入っている。
（２）挟み板：擦動子の動きによって開いたり閉じたりする。開く事でパイプの内側に押し付けられて動かなくなりパイプを繋ぎ止める。
（３）擦動子：挟み板の動きを制御している。メインシャフトが回転して中心側に動いたり外側に動いたりする。
（４）メインシャフト：回転する事により擦動子を動かしている。
（５）締め付けネジ：回す事で回転がメインシャフトが回転する。
（６）抜落防止溝：パイプの内側に食い込み、摩擦力を上げ抜けにくくする。
【図１】
2014100130.tif 000003
【図２】
2014100130.tif 000004
(57)【要約】【課題】しかしながら以上の技術によれば、対象魚が疑似餌本体に噛み付いても引き合いをするうえで、非常に強く引かなければフッキングに持ち込めなかった。そこで、この発明は強く引かなくてもフッキングに至る疑似餌を提供することを課題とする。【解決手段】以上の課題を解決する為に、第一発明は先端部を４面にカットし、両面を非対象にした事を特徴とする疑似餌である。第二発明は、本体下部を細くする事で、噛み付いた魚を、フッキングに導きやすくする事を特徴とする疑似餌である。【選択図】図１
2014100120.tif 000002
【特許請求の範囲】
【請求項１】
疑似餌本体の先端部を４面にカットする事で、水切りを良くすると共に、引き上げる際に水中で左右にバイブレーション（機敏に動く）を特徴とする疑似餌。
【発明の詳細な説明】
【技術分野】
【０００１】
この発明は、対象魚の好奇心をより一層、高める事と、疑似餌にかみついた魚をフッキングに導きやすくする。
【背景技術】
【０００２】
従来の疑似餌の形状は図２に示すように円すい状又は角形で、下部が太く作られ、安定した形状である為にバイブレーション効果が少ない。
【先行技術文献】
【特許文献】
【０００３】
【特許文献１】特許文献なし
【非特許文献】
【０００４】
【非特許文献１】非特許文献なし
【発明の概要】
【発明が解決しようとする課題】
【０００５】
しかしながら以上の技術によれば、対象魚が疑似餌本体に噛み付いても引き合いをするうえで、非常に強く引かなければフッキングに持ち込めなかった。そこで、この発明は強く引かなくてもフッキングに至る疑似餌を提供することを課題とする。
【課題を解決するための手段】
【０００６】
以上の課題を解決する為に、第一発明は先端部を４面にカットし、両面を非対象にした事を特徴とする疑似餌である。第二発明は、本体下部を細くする事で、噛み付いた魚を、フッキングに導きやすくする事を特徴とする疑似餌である。
【発明の効果】
【０００７】
第一発明、または第二発明によれば、カット面を、非対象にし後部（下部）を細くした事で、対象魚のフッキング効率を向上させる。
【図面の簡単な説明】
【０００８】
【図１】図１はテンヤの実施方法を示した説明図である。
【図２】図２はテンヤの実施方法を示した説明図である。
【発明を実施するための形態】
【０００９】
疑似餌本体は鋳造製であり、本体の中心付近に３〜４mmの貫通孔を、一面には約９mmの皿状の凹部を又、反対面には約５mmの溝状快剔部（ｄ）を設けてある。
【図１】
2014100120.tif 000003
【図２】
2014100120.tif 000004